(57)【特許請求の範囲】
【請求項１】
チャンバを画定するハウジングと、
前記チャンバの中に位置する複数のスライド支持体であって、それぞれがスライド受入開口部を有する複数のスライド支持体と、
前記ハウジングに連結された調整可能な間隔機構であって、
アクチュエータ、および
前記アクチュエータを前記複数のスライド支持体に連結する駆動装置であって、前記アクチュエータが前記ハウジングに対して動くに従い、前記スライド支持体を互いに対して前記チャンバに沿って動かすように構成された駆動装置
を含む調整可能な間隔機構と
を備え、
前記駆動装置は、ラック・アンド・ピニオン・アセンブリと、伸張器とを含み、前記ラック・アンド・ピニオン・アセンブリは、前記アクチュエータを前記伸張器に連結し、前記伸張器は、前記支持体が第１の配列にある折り畳み構成と、前記支持体が第２の配列にある伸張構成との間で可動であり、前記第１の配列は、前記第２の配列と異なる、顕微鏡用スライド移送装置。
【請求項２】
前記アクチュエータは、第１の位置と第２の位置との間で可動であり、前記複数のスライド支持体は、前記アクチュエータが前記第１の位置にあるときに第１の平均ピッチを規定し、前記複数のスライド支持体は、前記アクチュエータが前記第２の位置にあるときに第２の平均ピッチを規定する、請求項１に記載の顕微鏡用スライド移送装置。
【請求項３】
前記アクチュエータは、前記複数のスライド支持体が規定するピッチを増減させるために、第１の位置と第２の位置との間で可動である、請求項１に記載の顕微鏡用スライド移送装置。
【請求項４】
前記調整可能な間隔機構は、隣り合う前記スライド支持体のスライド受入開口部の間の間隔を、前記アクチュエータが前記ハウジングに対して動く距離に比例するように変える、請求項１に記載の顕微鏡用スライド移送装置。
【請求項５】
前記伸張器は、第１のはさみ機構と、第２のはさみ機構とを含み、前記複数のスライド支持体は、前記第１のはさみ機構と、前記第２のはさみ機構との間に位置する、請求項１に記載の顕微鏡用スライド移送装置。
【請求項６】
前記ラック・アンド・ピニオン・アセンブリは、前記伸張器の一方の端部に連結された第１のラックと、前記伸張器の反対側の端部に連結された第２のラックと、前記第１のラックと前記第２のラックとの間に位置し、前記第１のラックおよび前記第２のラックを反対方向に駆動するピニオンとを含む、請求項１に記載の顕微鏡用スライド移送装置。
【請求項７】
前記スライド支持体を支持する伸張可能装置と、前記伸張可能装置が前記アクチュエータの作動に応じて動いたときに、互いから離れるように、または、互いの方へ向かって動く隣り合うスライド支持体とをさらに備える、請求項１に記載の顕微鏡用スライド移送装置。
【請求項８】
ハウジングと、
複数のスライド支持体と、
前記複数のスライド支持体および前記ハウジングに連結された駆動装置であって、第１の状態および第２の状態を有し、前記駆動装置が前記第１の状態にあるときは、前記スライド支持体が互いに対して静止しており、前記駆動装置が前記第２の状態にあるときは、前記スライド支持体が互いから離れる駆動装置と、
前記駆動装置により前記複数のスライド支持体と連結されるアクチュエータと、
を備え、
前記駆動装置は、ラック・アンド・ピニオン・アセンブリと、伸張器とを含み、前記ラック・アンド・ピニオン・アセンブリは、前記アクチュエータを前記伸張器に連結し、前記伸張器は、前記支持体が第１の配列にある折り畳み構成と、前記支持体が第２の配列にある伸張構成との間で可動であり、前記第１の配列は、前記第２の配列と異なる、
顕微鏡用スライドホルダー装置。
【請求項９】
前記駆動装置を前記第１の状態から前記第２の状態へ変えるように構成された手動アクチュエータをさらに備える、請求項８に記載のスライドホルダー装置。
【請求項１０】
前記駆動装置に連結された制御部をさらに備え、前記制御部は、前記駆動装置に前記第１の状態または前記第２の状態となるように命令するよう構成される、請求項８に記載のスライドホルダー装置。
【請求項１１】
前記駆動装置は、隣り合う前記スライド支持体を互いから離す、または、互いの方へ動かすことができる、請求項８に記載のスライドホルダー装置。
【請求項１２】
前記スライド支持体は、第１の直線的配列と第２の直線的配列との間で可動であり、前記第１の直線的配列における前記スライド支持体は、第１の平均ピッチを規定し、前記第２の直線的配列における前記スライド支持体は前記第１の平均ピッチと実質的に異なる第２の平均ピッチを規定する、請求項８に記載のスライドホルダー装置。
【請求項１３】
前記第１の平均ピッチは、前記第２の平均ピッチよりも少なくとも１０％小さい、請求項１２に記載のスライドホルダー装置。
【請求項１４】
顕微鏡用スライドを第１のスライドホルダーから第２のスライドホルダーへ移動させる方法であって、
支持体が第１の平均ピッチを規定する間に、複数のスライドを第１のスライドホルダーから調整可能なスライドホルダー装置のそれぞれの前記支持体に同時に移すステップと、
前記支持体が前記第１の平均ピッチと異なる第２の平均ピッチを規定するように、前記支持体を他の前記支持体に対して動かすステップと、
前記支持体が前記第２の平均ピッチである間に、前記顕微鏡用スライドを前記支持体から前記第２のスライドホルダーのそれぞれのスライド保持機構へ同時に移すステップと
を含み、
前記スライドホルダー装置は、
アクチュエータと、
前記アクチュエータを前記支持体に連結する駆動装置であって、前記アクチュエータが動くに従い、前記支持体を互いに対して動かすように構成された駆動装置と、を有し、
前記駆動装置は、ラック・アンド・ピニオン・アセンブリと、伸張器とを含み、
前記支持体を他の前記支持体に対して動かすステップは、前記支持体が第１の配列にある折り畳み構成と前記支持体が第２の配列にある伸張構成との間で前記伸張器を動かすステップを含み、前記伸張器は、前記ラック・アンド・ピニオン・アセンブリにより前記アクチュエータに連結される、方法。
【請求項１５】
前記複数の顕微鏡用スライドを前記第１のスライドホルダーから前記調整可能なスライドホルダー装置のそれぞれの支持体に同時に移すステップは、前記第１のピッチに実質的に等しい平均ピッチで保持される前記複数の顕微鏡用スライドを前記支持体の中へと動かすステップを含む、請求項１４に記載の方法。
【請求項１６】
前記顕微鏡用スライドを前記支持体から前記第２のスライドホルダーのそれぞれのスライド保持機構へ同時に移すステップは、前記スライド保持機構が、前記第２の平均ピッチに実質的に等しい平均ピッチにある間に行われる、請求項１４に記載の方法。
【請求項１７】
前記支持体を互いに対して動かす前記ステップは、はさみ機構を折り畳み構成から伸張構成へ広げるステップを含み、前記はさみ機構は、前記支持体に連結されている、請求項１４に記載の方法。
【発明の詳細な説明】
【技術分野】
【０００１】
本発明は、概して、基板保持装置に関する。より詳しくは、本発明は、スライド移送装置、および、このスライド移送装置を使用する方法に関する。
【背景技術】
【０００２】
病理学または組織学の実験機器には、多くの場合、スライドホルダーがあり、このスライドホルダーは、顕微鏡用スライドをその機器に装填するのに使用される。ある実験機器用のスライドホルダーは、他の実験機器と互換性がないことがある。例えば、ステーナー（ｓｔａｉｎｅｒ）用のスライドホルダーは、撮像システム、デジタル式病理機器、または、自動スライドスキャナーと互換性がないことがある。実験室では、スライドが、バスケット、カセット、スライドラック、および／または、格納箱の間で、例えば、画像化による着色を行うために、たびたび移される。スライドをスライドホルダーの間で移すのは難しいことである。これは、スライドホルダーが多くの場合に異なるピッチの保持機構（例えば、棚）を有するからである。スライドは、多くの場合、スライドホルダーの間で手作業により１つずつ移される。残念ながら、手作業による移送処理は、時間がかかることが多く、この結果、実験室での処理量が少ない。加えて、スライドは、取り扱い方を間違えると壊れたり、損傷を受けたりすることがある。
【発明の概要】
【課題を解決するための手段】
【０００３】
少なくとも一部の実施形態は、ハウジングと、複数の支持体とを含むホルダー装置を対象とする。間隔機構が隣り合う支持体の間の間隔を変えて、支持体を任意の数の所望の空間的配列に移動させることができる。支持体は、基板状の形態をした物品（例えば、顕微鏡用スライド、カバーガラス付き顕微鏡用スライド等）、または、標本（複数可）もしくは検体（複数可）を保持する他の物品を保持するように構成できる。特定の実施形態では、支持体を、検体担持カバーガラス付きスライドを保持できる寸法にする。例えば、各支持体は、検体担持カバーガラス付きスライドを１つだけ保持できる寸法とすることができる。
【０００４】
応用例によっては、スライドホルダー装置は、互換性のないスライドホルダー（例えば、実質的に異なる空間配列でスライドを保持するように構成されたスライドホルダー）の間で顕微鏡用スライドを移すための移送装置としての役割を果たすことができる。第１のスライドホルダーによって第１の配列に保持されるスライドをスライドホルダー装置に装填することができる。スライドホルダー装置は、スライドを第１の配列から第２の配列へ移動させる。第２の配列のスライドは、第２のスライドホルダーに送られる。
【０００５】
実施形態によっては、スライドホルダー装置により、比較的多くのスライド（例えば２０枚のスライド）のスライドラックからカセットへの迅速な移送が容易となる。スライドラックは、ディップ・アンド・ダンク（ｄｉｐ  ａｎｄ  ｄｕｎｋ）機器で使用するように構成されることがあり、カセットは、撮像機器で使用するように構成されることがある。スライドホルダー装置は、スライドラックのスライド間隔、および、カセットのスライド間隔に適応することができ、実施形態によっては、伸張機構によって１つに連結された一連の支持体を含むことができる。実施形態によっては、伸張機構は、支持体を支持するはさみアセンブリである。貝殻型のハウジングで伸張機構と、はさみアセンブリとを囲むことができる。ランク・アンド・ピニオンギア・アセンブリをはさみアセンブリの両端部に連結して、支持体を離したり、くっつけたりすることができる。
【０００６】
支持体は、はさみ腕部に対する連結点を形成する複数のピン（例えば、各側面に２つのピン）を有するスリーブ（ｓｌｅｅｖｅ）とすることができる。実施形態によっては、はさみ腕部の内側の組と外側の組とが支持体の各側面にある。２つの端部部品は、概して対称的なデザインを有することができ、はさみ機構アセンブリの両端部の最も外側の支持体に連結される。はさみアセンブリが押し縮められた状態にあると、支持体のピッチは、スライドラックによって保持されるスライドのピッチに実質的に一致することができる。
【０００７】
実施形態によっては、移送装置は、チャンバを画定するハウジングと、チャンバの中に位置する複数の支持体と、調整可能な間隔機構とを含む。支持体は、物品を入れるための開口部を有する。間隔機構は、実施形態によっては、アクチュエータと、駆動装置とを含む。駆動装置は、アクチュエータを支持体に連結し、かつ、アクチュエータを操作するにつれ、支持体を互いに対してチャンバに沿って動かすように構成される。
【０００８】
アクチュエータは、実施形態によっては、支持体の空間配列を調整するために、第１の位置と第２の位置との間で可動である。特定の実施形態では、アクチュエータが第１の位置にあるとき、支持体が第１の平均ピッチを規定する。支持体は、アクチュエータが第２の位置にあるとき、第２の平均ピッチを規定する。伸張可能装置は、アクチュエータの操作に応じて伸張可能装置が動くときに、隣り合う支持体が互いから離れるように、または、互いの方へ向かって動くように支持体を支持する。実施形態によっては、伸張可能装置は、１つまたは複数のはさみ機構を含む。支持体は、基板支持体または顕微鏡用スライド支持体の形態とすることができる。伸張可能装置は、アクチュエータに直接的または間接的に連結することができる。
【０００９】
実施形態によっては、顕微鏡用スライドホルダー装置は、ハウジングと、スライド支持体と、駆動装置とを備える。駆動装置は、スライド支持体に連結されている。駆動装置は、第１の状態および第２の状態を有し、駆動装置が第１の状態にあるとき、スライド支持体が互いに対して静止している。スライド支持体は、駆動装置が第２の状態にあるとき、互いから離れる。特定の実施形態では、手動のアクチュエータが、駆動装置を第１の状態から第２の状態へ変えるように構成される。他の実施形態では、制御部が駆動装置に連結され、アクチュエータに第１の状態または第２の状態となるように命令する。
【００１０】
顕微鏡用スライドをスライドホルダーから移動させる方法は、支持体が第１の空間配列を規定する間に、複数のスライドを第１のスライドホルダーから調整可能なスライドホルダー装置のそれぞれの支持体に移送するステップを含む。支持体が第１の空間配列と異なる第２の空間配列を規定するように、支持体が互いに対して動かされる。顕微鏡用スライドは、支持体が第２の空間配列にある間に、支持体から第２のスライドホルダー装置のそれぞれのスライド保持機構（例えば、スロット、棚等）へ移送される。
【００１１】
非限定的かつ非網羅的な実施形態が以下の図面を参照しながら説明される。同一の参照番号は、他に特定しない限り、さまざまな図面を通じて同様の部品または動作に言及する。
【図面の簡単な説明】
【００１２】
【図１】一実施形態による、伸張アセンブリが押し縮めた構成となっているスライド移送装置の等角図である。
【図２】伸張アセンブリが伸ばした構成となっているスライド移送装置の等角図である。
【図３】図１のスライド移送装置の分解等角図である。
【図４】図１のスライド移送装置の断面図である。
【図５】一実施形態によるスライド移送装置の部分切断等角図である。
【図６】図５のスライド移送装置の底面図である。
【図７】一実施形態による、スライド支持体が間隔を開けた配列にあるスライド移送装置の部分切断等角図である。
【図８】図７のスライド移送装置の底面図である。
【図９】バスケットが保持するスライド、空のカセット、および、スライド移送装置を示す図である。
【図１０】スライド移送装置のスライド支持体に挿入される準備ができたバスケットに支持されるスライドを示す図である。
【図１１】それぞれのスライド支持体に挿入されたスライドを示す図である。
【図１２】スライド移送装置の支持体によって支持されるスライドから離れたバスケットを示す図である。
【図１３】カセットに挿入される準備ができたスライドを示す図である。
【図１４】カセットに挿入されたスライドを示す図である。
【図１５】スライド移送装置をカセットから離した後のスライド移送装置およびカセットを示す図である。
【図１６】一実施形態によるスライド移送装置の等角図である。
【図１７】一実施形態による自動スライド移送装置の等角図である。
【発明を実施するための形態】
【００１３】
図１は、スライド移送装置１００を示しており、このスライド移送装置１００は、ハウジング１１０と、一連のスライド支持体１２０と、調整可能な間隔機構１２４とを含んでいる。支持体１２０は、ハウジング１１０が画定するチャンバ１３０の中に位置する。スライダー１３４の形態をしたアクチュエータをハウジング１１０に沿って動かすことで、間隔機構１２４を駆動することができる。間隔機構１２４は、次に、支持体１２０を互いから離したり、互いの方へ動かしたりする。
【００１４】
使用者は、手動でスライド支持体１２０のピッチを調整して、広範囲のさまざまなピッチでスライドを受け、且つ配送することができる。スライダー１３４を矢印１４０で示す方向に動かすと、支持体１２０が互いから離れる。図２は、支持体１２０が間隔を空けた直線空間配列となっているところを示す。スライド移送装置１００は携帯可能であり、人が容易に持ち運ぶ（例えば、手で搬送する）ことができる。実験室環境では、スライド移送装置１００を手作業により作業場の間で搬送し、スライドをバスケット、カセット、格納箱、または、ラック、ならびに、他のタイプのスライドホルダーの間で移し変えることができる。スライドは、広範囲のさまざまなタイプの病理学または組織学的機器向けに設計されたスライドホルダーの間で便利に移し変えることもできる。実施形態によっては、２０枚のスライドを１分以内に（例えば、１０秒未満で）移すことができる。スライドを迅速に移せば、実験室での処理量が増えるであろう。
【００１５】
本明細書で使用する場合、用語「スライドホルダー」は意味の広い用語であり、格納箱、ラック、バスケット、カセット、および、顕微鏡用スライドを個別にし、間隔を空けた配列で保持することができる他の支持体またはスライドホルダーのことを概していう。実施形態によっては、スライド移送装置１００は、第１のピッチでスライドを保持する第１のスライドホルダーから第２のピッチでスライドを保持する別のスライドホルダーへ顕微鏡用スライドを移送することができる。ステーナー、カバースリッパー（ｃｏｖｅｒ  ｓｌｉｐｐｅｒ）、撮像システム、その他のスライド処理機器は、多くの場合、さまざまな構成のスライドホルダーを有する。
【００１６】
図１および２を参照すると、ハウジング１１０は、前方壁部１５０と、後方壁部１５２と、側壁部１５４、１５６とを含み、概して長方形の開口部１５８を画定する。支持体１２０は、開口部１５８の長手方向の長さの全体に沿って動かすことができる。スライダー１３４は、実質的にＵ字形状であり、基部１７１（図３）に沿って延びており、かつ、側壁部１５４、１５６に沿って延びている。側壁部１５４、１５６は、互いに概ね同様とすることができ、したがって、他に明確に示さない限り、一方に関する説明は他方に同じように当てはまる。図１の側壁部１５４は、スライダー１３４を入れるためのくぼみ領域１５７と、スライダー１３４を案内する一対のレール１６０、１６２とを含む。
【００１７】
ハウジング１１０は、全体または一部を１つまたは複数のプラスチック、ポリマー、金属、これらの組合せ等から作ることができ、成形処理（射出成形、圧縮成形、他を含む）、機械加工処理、または、これらの組合せを使用して作ることができる。実施形態によっては、ハウジング１１０がクラムシェル式のハウジングであり、１つまたは複数の締結具（例えば、ネジ、ボルト、雄／雌のコネクターなど）、接着剤、溶接、または、これらの組合せを使用して連結することができる。クラムシェル式のハウジング１１０は、内部部品のまわりに便利に組み立てることができる。次に、スライダー１３４をこの組み立てたハウジング１１０に組み付けることができる。
【００１８】
図３は、支持体１２０を示す。この支持体１２０は、一対の、間隔を開けて配置された概して四角い平板と、平板の間に挟まれたスペーサーとを有するスリーブとすることができる。スリーブの開口している端部は、顕微鏡用スライドが入る寸法にしてある。ピンの上側の列１７０およびピンの下側の列１７２が支持体１２０に連結されている。伸張装置は、少なくとも１つのはさみ機構１８０という形態で図示したが、ピン１７０、１７２に連結されたリンクを有する。上側のピン１７０は、はさみ機構１８０の上端部１９０に回転可能に連結されており、下側のピン１７２は、はさみ機構１８０の下端部１９２に回転可能に連結されている。はさみ機構１８０を広げることで、支持体１２０を互いから離すことができる。はさみ機構１８０を収縮させることで、支持体１２０を、実質的に均一な間隔を維持しながら、互いの方へ動かすことができる。隣り合う支持体１２０の間の間隔における変化は、スライダー１３４がハウジング１１０に対して移動した距離に比例させることができる。
【００１９】
図３に示されるように、上側のピン１７０および下側のピン１７２は、支持体１２０の側面に動かないように連結できる。図示の実施形態も含むいくつかの実施形態によっては、ピン１７０、１７２がはさみ機構１８０の開口部を通って外まで延びている。
【００２０】
駆動装置２００は、はさみ機構１８０と、ラック・アンド・ピニオン・アセンブリ２０２とを含んでいる。ラック・アンド・ピニオン・アセンブリ２０２は、一対のラック２１０、２１２と、ピニオン２１４とを含む。ラック２１０の取り付け端部２２０は、受入部２２２に連結されている。ラック２１２の取り付け端部２２０は、受入部２３２に連結されている。ラック２１０、２１２の各々はラック歯車を含み、このラック歯車は、ピニオン２１４とかみ合う。スライダー１３４のピン２４０は、基部１７１にある長孔２４２に通してラック２１２にある開口部（例えば、長孔または孔１７３）に入れることができる。ピン２４０は、平行移動可能にラック２１２に固定することができる。スライダー１３４が平行移動をすると、ラック２１２は、ハウジング１１０の長孔２４１に沿って動く。
【００２１】
図４を参照すると、支持体１２０は互いに概ね同様とすることができ、したがって、他に明確に示さない限り、１つのものに関する説明は他のものに等しく当てはまる。支持体１２０ａは、受入部２２２に連結されている。顕微鏡用スライドは、スライド受入開口部２５０ａから挿入して、細長いチャンバ２５２ａに入れることができる。顕微鏡用スライド２６０は、支持体１２０ｂの中に置かれる。実施形態によっては、スライド受入開口部の幅をスライドの厚さよりも若干大きくすることができる。スライドが従来のスライドであれば、スライド受入開口部の幅は、約１ｍｍから約２．５ｍｍの範囲とすることができる。スライド受入開口部２５０は、約２５ｍｍから約３０ｍｍの範囲の長手方向長さを有することができる。支持体１２０ｂの側壁部の間の距離は、比較的小さくして、顕微鏡用スライド２６０が支持体１２０ｂに対して大きく動くことが決してないようにすることができる。
【００２２】
図５および６を参照すると、ラック２１２が平行移動をすることで、ラック歯車の歯部により、ピニオン２１４が回転する。ピニオン２１４が回転することにより、ラック２１０も平行移動する。ラック２１０が矢印２７４で示される方向に平行移動するにつれ、ラック２１２が矢印２７５で示される反対方向に平行移動する。このようにして、ラック２１０、２１２は反対方向に平行移動する。
【００２３】
図２、７および８を参照すると、ラック２１０、２１２は、受入部２２２、２３２を開口部１５８の両側の端部に位置させることができる。受入部２２２は、後方壁部１５２の近傍にある。受入部２３２は、前方壁部１５０の近傍にある。図８における支持体１２０のピッチＰ２は、図４における支持体１２０のピッチＰ１と実質的に異なる。例えば、実施形態によっては、ピッチＰ２はピッチＰ１より少なくとも１０％大きい。他の実施形態では、ピッチＰ２は、ピッチＰ１よりも少なくとも５０％、１００％、２００％または３００％大きくすることができる。これ以外のピッチの変更も、必要であるか、望ましいのであれば、可能である。図２に示されるスライダー１３４は、図１に示される位置に戻し、支持体１２０を元通りにまとめることができる。スライダー１３４はまた、図１および２に示される位置の間に配置して、中間の間隔の支持体１２０を得ることもできる。
【００２４】
図９を参照すると、スライド移送装置１００は、顕微鏡用スライド３１０をバスケット３００からカセット３２０へ便利に移すことができる。スライド３１０の端部をそれぞれの支持体１２０に挿入することができる。バスケット３００を取り除いた後、支持体１２０を移動させて、カセット３２０の棚３２２の間隔を大まかに合わせることができる。次に、スライド３１０をカセット３２０に移すことができる。移送時間を減らすために、スライド３１０は、バスケット３００からスライド移送装置１００へ同時に移すことができ、また、スライド移送装置１００からカセット３２０へ同時に移すことができる。
【００２５】
バスケット３００は、ディップ・アンド・ダンク・マシン（ｄｉｐ  ａｎｄ  ｄｕｎｋ  ｍａｃｈｉｎｅｓ）で使用されるスライドラックとすることができる。ディップ・アンド・ダンク・マシンは、狭い間隔で置かれた顕微鏡用スライドを保持するラックをオープンバス（ｏｐｅｎ  ｂａｔｈ）に沈めることによって標本をバッチ単位で処理する。スライドラックの１つにＳＡＫＵＲＡ（登録商標）バスケットというものがある。バスケット３００は、タブ、長孔、スペーサー、または、他のスライド位置決め機構を有することがある。スライド３１０のピッチＰＢが比較的小さく、スライド３１０を異なるピッチのカセット３２０に移すことを難しくすることがある。カセット３２０は、ピッチＰＢと実質的に異なるピッチＰＣを規定する棚３２２を有することができる。例えば、ピッチＰＣは、ピッチＰＢの２倍、３倍、４倍、５倍であることもできるし、このようなピッチを含むような範囲にあることもできる。
【００２６】
スライド３１０は、さまざまなタイプの生体試料を保持することができる。生体試料は、患者、植物等から切除した組織標本（例えば、細胞を収集した任意のもの）のことがある。実施形態によっては、限定はしないが、生体試料に組織切片、臓器、腫瘍切片、塗抹、凍結切片、細胞学的プレップ（ｃｙｔｏｌｏｇｙ  ｐｒｅｐ）または細胞株が含まれる。切開生検、コア生検、切除生検、針吸引生検、針生検、定位生検、直視下生検、または、外科的生検を利用して標本を得ることができる。代替として、生体試料は、植物の切片、植物組織培養等のこともある。
【００２７】
顕微鏡用スライドは、実質的に平坦な基板とすることができる。「実質的に平坦な基板」とは、限定はしないが、少なくとも１つの実質的に平坦な基板を有するあらゆる物をいい、より典型的には、対向する側面に２つの実質的に平坦な基板を有するあらゆる物をいい、さらに典型的には、対向する実質的に平坦な面を有し、この対向する面の大きさはほぼ等しいが、その物の他のどの面よりも大きいあらゆる物をいう。実質的に平坦な基板は、適する任意の材料で形成できる。適する材料には、ガラス、シリコン、半導体材料、金属、これらの組合せ等が含まれる。実質的に平坦な基板の非限定的な例には、従来のスライド（２５．４ｍｍ（１インチ）×７６．２ｍｍ（３インチ）の顕微鏡用スライド、および、２５ｍｍ×７５ｍｍの顕微鏡用スライドの両方）、ＳＥＬＤＩおよびＭＡＬＤＩチップ、シリコンウエハー、または、他の概して平坦な物で少なくとも１つの実質的に平坦な面を備えたものが含まれる。スライドにはカバーガラスを載せることができる。例えば、図９のスライド３１０は、検体担持スライドで、カバーガラスを保持するものとすることができる。
【００２８】
スライドは、（一次元または多次元のバーコードまたはインフォグリフ（ｉｎｆｏｇｌｙｐｈ）、ＲＦＩＤタグ、ブラッグ回折格子、磁気ストライプ、または、ナノバーコードのような）機械で読み取り可能なコードのあるラベルを含むことができる。機械で読み取りコードには符号化された命令があり、この符号化された命令は、特定の検体等を取り扱うために送られる液体（複数可）のタイプ、順番、タイミングを特定するものである。
【００２９】
図１０〜１５は、スライドを移送する方法を示す。図１０を参照すると、はさみ機構１８０は押し縮めた状態にあり、支持体１２０のピッチがスライド３１０のピッチと実質的に等しくなっている。スライド３１０は、支持体１２０の受入開口部に位置を合わせ、挿入することができる。バスケット３００から突出するスライド部分のほとんど、または、実質的に全てを支持体１２０の中へ移動させることができる。
【００３０】
図１１は、個別にしたスライド３１０をスライド支持体１２０の中に位置させたところを示す。各支持体１２０が１つのスライドを保持できる。スライド３１０の端部がそれぞれの支持体１２０に入った後、組み合っているバスケット３００およびスライド移送装置１００をおよそ１８０度回転させて、スライド３１０がバスケット３００から支持体１２０の中へスライドできるようにすることが可能である。全てのスライド３１０を支持体１２０に装填したら、バスケット３００をゆっくりと引っ張って、スライド３１０から離すことができる。このようにして、全ての、または、実質的に全てのスライド３１０をバスケット３００からスライド支持体１２０へ同時に移すことができる。
【００３１】
図１２は、スライド３１０から切り離したバスケット３００を示す。スライド３１０は、いつでも所望の間隔に動かすことができる。使用者は、スライダー１３４を手で掴んで、動かすことができる。駆動装置２００は、スライドカセット３２０の受入開口部のピッチに実質的に等しいピッチにスライドが移動するまで、隣り合うスライド３１０の間隔を大きくする。
【００３２】
図１３は、カセット３２０に装填される準備ができたスライド３１０を示す。カセット３２０は、移送装置１００と位置が揃えてある。スライド３１０のピッチは、カセット３２０の開口部３２４のピッチＰ０に実質的に等しくすることができる。使用者は、スライダー１３４を動かしてスライド３１０の間隔を調整し、カセット３２０へ移すのに適した望ましい配列にすることができる。
【００３３】
位置決め部３３０、３３２は、それぞれの受入部２２２、２３２に挿入することができる。図１４は、受入部２２２、２３２がそれぞれの機構３３０、３３２を保持し、カセット３２０がスライド移送装置１００に対して動くのを禁止する、制限する、または、実質的に防止するところを示す。これは、スライド３１０の破損を回避するのに役立つことができる。はめ合わせたスライド移送装置１００およびカセット３２０は、およそ１８０度回転して、スライドがスライド移送装置１００から出てカセット３２０へスライドさせることができる。
【００３４】
図１５に示すように、スライド移送装置１００は、矢印３４０で示すように、装填したカセット３２０から離し、スライド３１０を棚３２２に残すことができる。装填したカセット３２０は、所望の場所へ搬送することができる。
【００３５】
移送工程は、比較的短い時間で行うことができる。応用例によっては、移送工程は約１５秒より短い時間で行うことができる。故に、移送工程は、スライドをバスケット３００とカセット３２０との間で１つずつ手により移すよりもずっと速くできる。この工程は、必要であったり、望ましかったりすれば、逆にして、スライドをカセット３２０からバスケット３００へ戻すこともできる。スライドをスライドホルダーに移送するのに他のタイプの手法を利用することもできる。
【００３６】
図１６はスライド移送装置４００を示しており、このスライド移送装置４００は、以下に詳述する点を除き、図１〜１５との関連で論じたスライド移送装置１００と概して同様である。スライド移送装置４００は、支持体４２０のピッチを調節するように構成された調節アセンブリ４１０を含む。使用者は、アクチュエータ４３４が初期位置にあるときに支持体４２０のピッチを設定することができ、また、アクチュエータ４３４が端部位置にあるときに支持体４２０のピッチを設定することもできる。リセット装置４４０は、リセットボタンとして図示されるが、設定をリセットするのに使用することができる。
【００３７】
図示の調節アセンブリ４１０は、支持体４２０の最小ピッチを設定するための阻止部４５０を含んでいる。しるし４６０を使用して阻止部４５０を位置決めすることができる。しるし４６０は、線と、関連する参照数字がある測定用のしるしという形態にすることができる。参照テーブルを使用して、所望のピッチを阻止部４５０の所望の設定に関連づけることができる。
【００３８】
第２の阻止部４６２を使用してアクチュエータ４３４の第２の位置（例えば、端部位置）を設定することができる。実施形態によっては、これには図１６に図示の実施形態も含まれるが、第２の阻止部４６２を矢印４６４、４６８が示す方向に動かして、支持体４２０の最大ピッチを設定することができる。
【００３９】
いったん阻止部４５０、４６２を位置決めすると、ボタン４４０を押して阻止部４５０、４６２をロックすることができる。ロックした阻止部４５０、４６２は、アクチュエータ４３４の移動経路を設定する。阻止部４５０、４６２の位置を変更するために、ボタン４４０を押すことができる。使用者は、阻止部４５０、４６２を新しい位置まで手でスライドさせることができる。阻止部４５０、４６２は、ボタン４４０を押すことで所定の位置にロックすることができる。このようにして、スライド移送装置４００は、さまざまなピッチ設定で便利に取り扱うことができる。
【００４０】
図１７は自動スライド移送装置５００を示しており、この自動スライド移動装置５００は、ハウジング５１２に連結させた制御部５１０を含んでいる。制御部５１０は、駆動装置５２０にコマンドを送り、駆動装置５２０は、次に、間隔機構５２２を動かし、支持体５３０を正確に位置決めする。制御部５１０は、表示部５４０と、入力装置５４２とを含んでいる。表示部５４０は、画面または他の表示装置のことがある。入力装置５４２は、限定はしないが、１つまたは複数のボタン、キーボード、入力パッド、コントロールモジュール、または、他の適する入力要素を含むことができる。加えて、または、代えて、入力装置５４２は、送信機、受信機、または、この両方を有し、機器と無線通信をすることもできる。
【００４１】
制御部５１０はまた、限定はしないが、１つまたは複数の中央演算処理装置、処理デバイス、マイクロプロセッサ、デジタル・シグナル・プロセッサ（ＤＳＰ）、特定用途向け集積回路（ＡＳＩＣ）、リーダー等を一般的に含むことができる。情報を格納するために制御部５１０は、限定はしないが、揮発性メモリ、不揮発性メモリ、読み出し専用メモリ（ＲＯＭ）、ランダムアクセスメモリ（ＲＡＭ）等のようなストレージ要素を１つまたは複数含むこともできる。格納される情報は、限定はしないが、製造業者情報（例えば、さまざまな製造業者により製造されたスライドホルダーに関する情報、製造業者が推奨するピッチ設定、他）、支持体間隔情報、実行可能なコードまたはプログラム等が含まれる。制御部５１０は、支持体５３０の望ましい位置に基づいてプログラムすることができる。使用者は、スライドホルダーについての、スライド移送装置５００がスライドを移送するのに使用するであろう情報を入力することができる。制御部５１０は、支持体５３０の適切なピッチを決めることができる。
【００４２】
駆動装置５２０は、動力源５５０からエネルギーを受けるモーターとすることができる。実施形態によっては、駆動装置５２０はステッピングモーターであり、このステッピングモーターは、１つまたは複数のバッテリーという形態の動力源５５０から電気エネルギーを受ける。動力源５５０は、駆動装置５２０に直接連結することができる。他の実施形態では、駆動装置５２０および／または動力源５５０がハウジング５１２内部に位置する。駆動装置５２０は、間隔機構５２２を、制御部５１０からの１つもしくは複数の信号、または、センサーからの信号に応答して動かすことができる。駆動装置５２０は、駆動モーター、ステッピングモーター等とすることができる。
【００４３】
他のタイプの駆動装置を用いることもでき、他のタイプの駆動装置は、限定はしないが、キャリッジ（ｃａｒｒｉａｇｅｓ）、リニアスライド（ｌｉｎｅａｒ  ｓｌｉｄｅｓ）、歯車、ベルト、動力源（例えば、バッテリー、電源等）、モーター、または、これらの組合せを含むことができる。移送装置は、顕微鏡用スライドを保持することに関連して論じた。しかし、移送装置は他のタイプの物と共に使用することもできる。他のタイプの物には、光学機器、例えば顕微鏡のような機器を使用して検査する検体（複数可）を保持するための基板または他の物が含まれる。
【００４４】
なお、本明細書および添付の特許請求の範囲で使用する場合、単数形「ａ」、「ａｎ」および「ｔｈｅ」は、内容が明らかに他を示さない限り、複数形にも言及する。よって、例えば、「はさみ機構」を含むスライド移送装置といった場合、１つのはさみ機構、または、複数のはさみ機構が含まれる。さらにまた、用語「または」は、一般に、内容が明らかに他を示さない限り、「および／または」を含む意味で用いられる。
【００４５】
上述したさまざまな実施形態および特徴は、他の実施形態を提供するために組み合わせることができる。上記した詳細な説明に鑑み、実施形態にさまざまな変更を加えることができる。一般に、添付の特許請求の範囲では、使用された用語を明細書および特許請求の範囲で開示した特定の実施形態に特許請求の範囲を限定するものと解釈すべきではなく、むしろ、可能な全ての実施形態と共に、権利が付与された請求項の均等の範囲全てを含むものと解釈すべきである。したがって、特許請求の範囲は、開示によって限定されない。
【図１】
0005909282.tif 000002
【図２】
0005909282.tif 000003
【図３】
0005909282.tif 000004
【図４】
0005909282.tif 000005
【図５】
0005909282.tif 000006
【図６】
0005909282.tif 000007
【図７】
0005909282.tif 000008
【図８】
0005909282.tif 000009
【図９】
0005909282.tif 000010
【図１０】
0005909282.tif 000011
【図１１】
0005909282.tif 000012
【図１２】
0005909282.tif 000013
【図１３】
0005909282.tif 000014
【図１４】
0005909282.tif 000015
【図１５】
0005909282.tif 000016
【図１６】
0005909282.tif 000017
【図１７】
0005909282.tif 000018